(57)【要約】【課題】画像形成装置において、操作表示部の電源をＯＮせずに所望の操作を行うこと。【解決手段】操作表示部を備え、通常電力モードと省電力モードが切替可能な画像形成装置であって、ＮＦＣトークンの操作設定情報を読み込むＮＦＣ  Ｒ／Ｗ部７１と、当該画像形成装置を動作制御するコントローラ１０を有し、コントローラ１０は、当該画像形成装置の省電力モード時において、ＮＦＣ  Ｒ／Ｗ部７１のＮＦＣトークン内の操作設定情報の読み込みに応じて起動し、前記省電力モード時において動作可能なスタートキーの指示に基づき、前記操作表示部の電源をＯＮすることなく、前記操作設定情報に基づく動作制御を行う。【選択図】図１
2014090397.tif 000002
【特許請求の範囲】
【請求項１】
操作表示部を備え、通常電力モードと省電力モードが切替可能な画像形成装置であって、
短距離通信デバイスの操作設定情報を読み込むリーダと、当該画像形成装置を動作制御する制御手段を有し、
前記制御手段は、当該画像形成装置の省電力モード時において、前記リーダの前記短距離通信デバイス内の操作設定情報の読み込みに応じて起動し、前記省電力モード時において動作可能なスタート指示手段のスタート指示に基づき、前記操作表示部の電源をＯＮすることなく、前記操作設定情報に基づく動作制御を行う画像形成装置。
【請求項２】
請求項１に記載された画像形成装置において、
前記制御手段は、前記スタート指示手段のスタート指示を待つ状態が所定時間経過したとき、省電力モードへ移行させる画像形成装置。
【請求項３】
請求項１又は２に記載された画像形成装置において、
前記リーダは、前記短距離通信デバイス内に前記操作設定情報を書き込む手段を備えたリーダ／ライタである画像形成装置。
【請求項４】
請求項１ないし３のいずれかに記載された画像形成装置において、
前記リーダは、外部機器から短距離通信で送信される前記操作設定情報を読み込み可能である画像形成装置。
【請求項５】
請求項１ないし４のいずれかに記載された画像形成装置において、
前記制御手段は、前記リーダが前記短距離通信デバイスの操作設定情報の読み取り中であることを条件に、省電力モードへの遷移を行わない画像形成装置。
【請求項６】
請求項１ないし５のいずれかに記載された画像形成装置において、
前記操作表示部の操作パネルへのタッチを検知する検知手段を有し、
前記制御手段は、当該画像形成装置の省電力モード時において、前記リーダの前記短距離通信デバイス内の操作設定情報の読み込みに応じて起動して前記操作パネルの電源をＯＮし、かつ、前記操作パネルへのタッチを検知したことを条件に、前記操作表示部の表示手段の電源をＯＮする画像形成装置。
【請求項７】
請求項１に記載された画像形成装置において、
前記短距離通信デバイス内の操作設定情報の読み込み回数をカウントするカウント手段を備え、前記カウント手段のカウント値に基づいて前記操作設定情報に基づく特定の処理出力を行う画像形成装置。
【請求項８】
請求項１に記載された画像形成装置において、
前記短距離通信デバイスによってユーザの認証を行なう手段と、前記短距離通信デバイス内の操作設定情報と前記認証のいずれを実行するかをユーザに表示する手段を有する画像形成装置。
【請求項９】
請求項１に記載された画像形成装置において、
省エネ復帰要因をＯＮ又はＯＦＦ設定が可能な画像形成装置。
【請求項１０】
操作表示部と当該画像形成装置を動作制御する制御手段を備え、通常電力モードと省電力モードが切替可能な画像形成装置における画像形成方法であって、
短距離通信デバイスの操作設定情報をリーダで読み込む工程と、省電力モード時において、前記リーダの前記短距離通信デバイス内の操作設定情報の読み込みに応じて前記制御手段を起動する工程と、前記制御手段が、前記省電力モード時において動作可能なスタート指示手段のスタート指示に基づき、前記操作表示部の電源をＯＮすることなく、前記操作設定情報に基づく動作制御を行う工程と、
を有する画像形成装置における画像形成方法。
【発明の詳細な説明】
【技術分野】
【０００１】
本発明は、画像形成装置及び画像形成方法に関し、とくに、短距離通信により短距離通信デバイスから送信される当該画像形成装置の操作設定情報を読み取り、読み取った操作設定情報に基づき操作可能な画像形成装置及び画像形成方法に関する。
【背景技術】
【０００２】
画像形成装置において、低コスト化のためにテンキーやファンクションキーなどのハードキーを少なくし、ＬＣＤ（Liquid Crystal Display）タッチパネルで所望の設定操作などを行うようにしたものがある。また、ユーザの使い易さを向上させるために、１メートルないし数センチ程度の到達（送信）距離が極めて短い無線通信である近接無線通信（Near Field Communication：以下、ＮＦＣと称する）を使用し、個人の特定などを行い、操作部の画面をユーザ毎に更新して表示する画像形成装置も既に知られている。
【０００３】
このように、ＮＦＣを用いて操作部の画面をユーザ毎に更新して表示する画像形成装置として、例えば、特許文献１に記載されたものが知られている。この画像形成装置は、ＮＦＣトークンに対して情報の読み取り及び書き込みが可能なＮＦＣ−Ｒ／Ｗ（リーダ／ライタ装置；読み取り及び書き込み装置）と、操作パネルと、ユーザ毎のカスタマイズ情報を記憶する記憶手段と、ＮＦＣ制御部とを備え、非ネットワーク環境においてＮＦＣトークンをかざす（翳す）だけで、前回までに使用した機能のログ情報が反映されたカスタマイズ画面での操作を可能にするものである。
【０００４】
具体的には、ＮＦＣ制御部は、ＮＦＣトークン内に保持されたカスタマイズ情報をＮＦＣにより取得し、取得されたカスタマイズ情報と記憶手段に保持されているカスタマイズ情報と照合し、ユーザ毎のカスタマイズ画面を操作パネルに表示させる。また、ＮＦＣ制御部は、カスタマイズ画面で選択した際のログ情報をＮＦＣトークンに保持させ、ログ情報を含むユーザ毎のカスタマイズ情報と記憶手段に記憶されているカスタマイズ情報とを照合し、カスタマイズ画面を更新するようにしている。
【０００５】
ただ、このように、ハードキーに依らずＬＣＤタッチパネルで所望の設定操作を行う画像形成装置では、省電力の観点からみると、所望の設定操作などを行う場合、必ずＬＣＤタッチパネルの電源をＯＮさせなければならず、その分の電力を消費するという問題がある。
【発明の概要】
【発明が解決しようとする課題】
【０００６】
本発明は、前記従来の問題に鑑みなされたものであって、その目的は、操作表示部を備え、通常電力モードと省電力モードが切替可能な画像形成装置において、操作表示部の電源をＯＮせずに所望の操作ができるようにして、消費電力を削減することである。
【課題を解決するための手段】
【０００７】
本発明は、操作表示部を備え、通常電力モードと省電力モードが切替可能な画像形成装置であって、短距離通信デバイスの操作設定情報を読み込むリーダと、当該画像形成装置を動作制御する制御手段を有し、前記制御手段は、当該画像形成装置の省電力モード時において、前記リーダの前記短距離通信デバイス内の操作設定情報の読み込みに応じて起動し、前記省電力モード時において動作可能なスタート指示手段のスタート指示に基づき、前記操作表示部の電源をＯＮすることなく、前記操作設定情報に基づく動作制御を行う画像形成装置である。
【発明の効果】
【０００８】
本発明によれば、操作表示部を備え、通常電力モードと省電力モードが切替可能な画像形成装置において、操作表示部の電源をＯＮせずに所望の操作を行うことができるため、消費電力を削減することができる。
【図面の簡単な説明】
【０００９】
【図１】本発明の実施の形態の画像形成装置のハードウェアの構成を示すブロック図である。
【図２】ＮＦＣトークンの外観図の一例と、ＮＦＣトークン内のデータ内容について説明する図である。
【図３】本画像形成装置における操作部の構成の一例について説明する図である。
【図４】本実施形態においてスキャナ設定のＮＦＣトークンが読み込まれた時のコントローラが行う処理の手順を示すフロー図である。
【図５】本画像形成装置において、プリント設定のＮＦＣトークンが読み込まれた時のコントローラが行う処理の手順を示すフロー図である。
【図６】外部機器である電子情報通信端末から本画像形成装置の設定を行なうＬＣＤタッチパネルの一例について説明する図である。
【図７】ＮＦＣトークンをＮＦＣ  Ｒ／Ｗ部上に置いておくことで、省エネモード移行しないようにするため、コントローラが行う処理の手順を示すフロー図である。
【図８】本画像形成装置において、操作部上のタッチパネルを検知できる検知手段を備え、タッチパネルに触れたことを検知することでＬＣＤをＯＮにするため、コントローラが行う処理の手順を示す図である。
【図９】ＮＦＣトークンが翳された回数をカウントし、その回数分のコピー動作を行う場合の処理手順を示すフロー図である。
【図１０】画像形成装置がＮＦＣ認証デバイスによって使用者の認証を行う手段を備える場合において、ＮＦＣ操作と認証のいずれを実行するのかをユーザに表示する操作部を示す図である。
【図１１】省エネからの具体的な復帰要因の設定をＯＮ又はＯＦＦ可能にするための操作部における設定画面の一例を示す図である。
【図１２】画像形成装置において、翳されたデータを読み込んだことを検知したときに、そのことを報知するための制御手順を示すフロー図である。
【図１３】読み込んだＮＦＣデバイスの設定によって起動した機能を表示する操作部構成の一例を示す図である。
【図１４】読み込んだＮＦＣデバイスの設定によって起動した機能を表示するための処理手順を示すフロー図である。
【発明を実施するための形態】
【００１０】
次に、本発明の実施形態について説明する。
本発明の実施形態は、短距離通信デバイス、ここではＮＦＣトークンとの短距離通信、ここではＮＦＣ通信が可能な画像形成装置である。ここでは、ＮＦＣトークンにＭＦＰ（Multi-Function Product）等の画像形成装置で実施したい操作の設定情報（操作設定情報）を予め記録しておき、それを画像形成装置に読み込ませることで操作設定等を可能にする。
【００１１】
図１は、本発明の実施形態の画像形成装置のハードウェアの構成を示すブロック図である。
画像形成装置１は、図１に示すように、コントローラ１０と、コントローラ１０に接続された画像処理・エンジン制御部２０、ＦＡＸ通信を制御するＦＡＸ部５０、ＨＤＤ（Hard Disk Drive）６０、ＮＦＣデバイス（ここでは、ＮＦＣトークン）に対してデータの読み書きができるＮＦＣ  Ｒ／Ｗ部７１を備えた操作部７０から構成される。
【００１２】
ここで、画像処理・エンジン制御部２０は、原稿を読み取る機構を備えた画像読取部３０、用紙への画像出力を行なうプロッタ部４０と接続されてこれらを制御する。
コントローラ１０は、画像形成装置１全体の制御を行う制御手段であって、互いにバス１８で接続された、ＣＰＵ（Central Processing Unit）１１、ＲＡＭ（Random Access Memory）１２、ＲＯＭ（Read Only Memory）１３で構成するコンピュータと、このコンピュータとのデータ伝送を司るＵＳＢ（Universal Serial Bus）デバイス等と接続するための外部接続機器用Ｉ／Ｆ（interface）１４、操作部Ｉ／Ｆ１５、ＮＦＣ  Ｉ／Ｆ１６、ネットワークＩ／Ｆ１７などで構成されている。
【００１３】
本画像形成装置１では、スタンバイ状態の時、つまり通常電力モードでは、画像形成装置１を構成する全てのモジュールに通電している。しかし、画像形成装置１が消費電力を削減するための省電力モードの状態では、コントローラ１０とＮＦＣ  Ｒ／Ｗ部７１のみが通電状態にある。なお、省電力モード及び通常電力モードの切り替え、即ち、通常電力モードから省電力モードへ或いはその逆のモード遷移（モード切替）は前記制御手段であるコントローラ１０が行う。
【００１４】
図２は、本画像形成装置１において使用するＮＦＣトークンの外観図の一例と、ＮＦＣトークン内のデータの内容について説明する図である。
この例では、ＮＦＣトークンは、例えば壁に掛けられるようにしたコイン型のタグである。
「Copy Color A4:1」と記載のあるＮＦＣトークン１０１には、ＮＦＣトークン１０１内の記憶領域上に、画像形成装置１におけるカラーコピーについての操作設定情報が記録されている。
【００１５】
「Copy Monochrome A4:1」と記載のあるＮＦＣトークン１０２には、ＮＦＣトークン１０２内の記憶領域上に、画像形成装置１におけるモノクロコピーについての操作設定情報が記録されている。
「Scan to Me」と記載のあるＮＦＣトークン１０３には、ＮＦＣトークン１０３内の記憶領域上に画像形成装置１におけるスキャンしたデータの送付についての操作設定情報が記録されている。
「Print」と記載のあるＮＦＣトークン１０４には、ＮＦＣトークン１０４内の記憶領域上に、画像形成装置１におけるプリントについての操作設定情報、ここではプリント要求のあった端末を特定できるデータを含む操作設定情報が記録されている。
【００１６】
図３は、本画像形成装置１における操作部７０の構成の一例について説明する図である。
この例では、操作部７０には、ホーム画面を表示するホームキー３００と、画像形成装置１を消費電力の少ない省電力モード状態に遷移させる省エネキー３０１と、印刷中断を割り込んで処理する印刷中断キー３０２と、ＮＦＣデバイスの操作設定情報を読み込み及び書き込みできるＮＦＣ  Ｒ／Ｗ部７１の操作キー３０３と、画像形成装置１の処理を開始させるスタートキー３０４と、表示手段であるＬＣＤと操作パネルであるＬＣＤタッチパネル３０５（ここでは、両者を総称して「操作表示部」という）とを備えた操作部７０が備えられている。
ここで、省エネ状態（省電力モード時）において動作可能なものは、省電力モードへの移行または通常状態への復帰を行なう省エネキー３０１と、ＮＦＣ  Ｒ／Ｗ部７１の操作キー３０３と、スタートキー３０４である。
【００１７】
図４は、本実施形態においてスキャナ設定のＮＦＣトークン１０３がＮＦＣ  Ｒ／Ｗ部７１で読み込まれた時の、コントローラ１０が行う処理の手順を示すフロー図である。
図１に示すコントローラ１０とＮＦＣ  Ｒ／Ｗ部７１のみが通電している省電力モードの状態において、まず、スキャナ設定のＮＦＣトークン１０３がＮＦＣ  Ｒ／Ｗ部７１で読み込まれたか否かを判断する（Ｓ１０１）。ここで、ＮＦＣトークン１０３が読み込まれているときは（Ｓ１０１、ＹＥＳ）、スリープ状態となっているコントローラ１０の起動処理を開始する（Ｓ１０２）。コントローラ１０の起動処理完了後、画像処理・エンジン制御部２０と画像読取部３０の電源をＯＮする（Ｓ１０３）。次に処理開始のトリガとなる操作部７０のスタート指示手段であるスタートキー３０４の押下を確認する（Ｓ１０４）。スタートキー３０４が押下されたときは（Ｓ１０４、ＹＥＳ）、前記ＮＦＣトークン１０３から読み込んだ設定に基づいて、画像読取部３０を動作制御して原稿を読み取る動作を開始し（Ｓ１０５）、この処理を終了する。
【００１８】
ステップＳ１０４において、スタートキー３０４が押下されず（Ｓ１０４、ＮＯ）、スタートキー３０４の押下を待つ状態が所定時間、ここでは６０秒経過したときは（Ｓ１０６、ＹＥＳ）、再び省電力モードへ移行し（Ｓ１０７）、この処理を終了する。
本画像形成装置１は、この制御フローに基づき制御することで、省エネ状態から操作部７０のＬＣＤ電源をＯＦＦにしたまま所望の動作を実現でき、省エネ効果を得ることができる。
【００１９】
図５は、本画像形成装置１において、プリント設定のＮＦＣトークン１０４が読み込まれた時のコントローラ１０が行う処理の手順を示すフロー図である。
まず、図１におけるコントローラ１０とＮＦＣ  Ｒ／Ｗ部７１のみが通電している省電力モードの状態において、プリント設定のＮＦＣトークン１０４がＮＦＣ  Ｒ／Ｗ部７１で読み込まれたかを否かを判断する（Ｓ２０１）。ＮＦＣトークン１０４が読み込まれているときは（Ｓ２０１、ＹＥＳ）、スリープ状態となっているコントローラ１０の起動処理を開始する（Ｓ２０２）。コントローラ１０の起動処理完了後、ＮＦＣトークン１０４からプリント要求のあった端末を特定できるデータを読み込む（Ｓ２０３）。続いて、画像処理・エンジン制御部２０とプロッタ部４０の電源をＯＮする（Ｓ２０４）。次に、処理開始のトリガとなるスタート指示手段であるスタートキー３０４の押下を確認する（Ｓ２０５）。スタートキー３０４が押下されたときは（Ｓ２０５、ＹＥＳ）、プロッタ部４０を作動制御して印刷動作を開始し（Ｓ２０６）、この処理を終了する。
ステップＳ２０５において、スタートキー３０４が押下されず（Ｓ２０５、ＮＯ）、スタートキー３０４の押下を待つ状態で所定時間、ここでは６０秒経過したときは（Ｓ２０７、ＹＥＳ）、再び省電力モードへ移行し（Ｓ２０８）、この処理を終了する。
【００２０】
図６は、ＮＦＣで通信できる手段を備えた外部機器である電子情報通信端末（図示せず）から本画像形成装置１の設定を行なう、ＬＣＤタッチパネル５０１の一例について説明する図である。
前記電子情報通信端末は、画像形成装置１の処理に必要な操作設定情報を設定できるアプリを有し、そのＬＣＤタッチパネル５０１から、当該画像形成装置１のＮＦＣ  Ｒ／Ｗ部７１とのデータ通信により所望の操作が可能である。
電子情報通信端末のＬＣＤタッチパネル５０１には、例えば、図示のように、設定モードとしてコピー、カラー、サイズとしてＡ４、枚数として５枚が表示されており、この設定操作が可能である。
【００２１】
図７は、いずれかのＮＦＣトークンをＮＦＣ  Ｒ／Ｗ部７１上に置いておくことで、省エネモード移行しないようにするために、コントローラ１０が行う処理手順を示すフロー図である。
図１のＮＦＣ  Ｒ／Ｗ部７１に、いずれかのＮＦＣトークンがかざされているか否かを判断する（Ｓ３０１）。かざされていれば（Ｓ３０１、ＹＥＳ）、省電力モードへは移行しない。かざされていないときは（Ｓ３０１、ＮＯ）、所定時間が経過したか否かを判断する（Ｓ３０２）。図示しないタイマーで計時して所定時間が経過したときは（Ｓ３０２、ＹＥＳ）、省電力モードへ移行し（Ｓ３０３）、処理を終了する。
【００２２】
これにより、画像形成装置１を再度すぐ使いたい場合には、いずれかのＮＦＣトークンをＮＦＣ  Ｒ／Ｗ部７１にかざしておく、実際には例えばその上に置いておく、つまりＮＦＣ  Ｒ／Ｗ部７１がＮＦＣトークンの操作設定情報を読み込み続けるときは、電力モードの状態が省電力モードに遷移することがなく、次の画像形成装置１の操作が迅速に行える。
【００２３】
図８は、本画像形成装置１において、操作部７０上のタッチパネルに触れたことを検知できる検知手段（図示せず）を備え、タッチパネルに触れたことを検知することでＬＣＤタッチパネルの電源をＯＮにするために、コントローラ１０が行う処理の手順を示すフロー図である。
図１に示すコントローラ１０とＮＦＣ  Ｒ／Ｗ部７１のみが通電している省電力モードの状態において、ＮＦＣトークン、ここでは、例えば、スキャナ設定のＮＦＣトークン１０３がＮＦＣ  Ｒ／Ｗ部７１で読み込まれたか否かを判断する（Ｓ４０１）。読み込まれているときは（Ｓ４０１、ＹＥＳ）、スリープ状態となっているコントローラ１０の起動処理を開始する（Ｓ４０２）。コントローラ１０の起動処理完了後、画像処理・エンジン制御部２０と画像読取部３０の電源をＯＮする（Ｓ４０３）。
【００２４】
次に、操作部７０のＬＣＤ電源はＯＦＦにしたまま、ＬＣＤタッチパネルの電源をＯＮする（Ｓ４０４）。ＬＣＤタッチパネルの電源をＯＮすることにより、ＬＣＤタッチパネルへのタッチが検知できるようになったら、ユーザがＬＣＤタッチパネルを触ったかどうかを判断する（Ｓ４０５）。ＬＣＤタッチパネルを触っていないときは（Ｓ４０５、ＮＯ）、処理開始のトリガとなるスタートキー３０４の押下を確認する（Ｓ４０６）。スタートキー３０４が押下されたときは（Ｓ４０６、ＹＥＳ）、スキャナ設定のＮＦＣトークン１０３から読み込んだ設定に基づいて、画像読取部３０を動作制御して原稿を読み取る動作を開始し（Ｓ４０７）、処理を終了する。
【００２５】
ステップＳ４０６において、スタートキー３０４が押下されず（Ｓ４０６、ＮＯ）、スタートキー３０４の押下を待つ状態が６０秒経過したときは（Ｓ４０８、ＹＥＳ）、再び省電力モードへ移行して（Ｓ４０９）、処理を終了する。
ステップＳ４０５において、タッチパネルに触ったことが検知手段で検知されたときは（Ｓ４０５、ＹＥＳ）、ＬＣＤ電源をＯＮし（Ｓ４１０）、次に通常のスタンバイモードへ移行し（Ｓ４１１）、この処理を終了する。
【００２６】
図９は、ＮＦＣトークンが翳された回数をカウントし、その回数分のコピー動作を行う場合の処理手順を示すフロー図である。
図９を参照して、本実施形態の説明を行う。即ち、まず、図１におけるコントローラ１０とＮＦＣ  Ｒ／Ｗ部７１のみが通電している省電力モードの状態において、コピー設定のＮＦＣトークンがＮＦＣ  Ｒ／Ｗ部７１で読み込まれたかを判断する（Ｓ５０１）。ここで、読み込まれている場合は、スリープ状態となっているコントローラ起動処理を開始する（Ｓ５０２）。コントローラ起動処理完了後、トークン読み込み回数カウンタをＮ＝１としコントローラ１０上のＲＯＭ１３の記憶領域に記憶する（Ｓ５０３）。同時に画像処理・エンジン制御部２０と画像読取部３０とプロッタ部４０の電源をＯＮする（Ｓ５０４）。次に操作部上のスタートキーが押下されたかどうかを判断する（Ｓ５０５）。スタートキーが押下されていない場合は（Ｓ５０５、ＮＯ）、再度同じＮＦＣトークンが翳されたかを判断する（Ｓ５０６）。同じＮＦＣトークンが翳された場合は（Ｓ５０６、ＹＥＳ）、コントローラ記憶領域に保存されているカウンタを＋１して更新する（Ｓ５０７）。
ステップＳ５０５で、スタートキーが押下されたときは（Ｓ５０５、ＹＥＳ）、ＮＦＣデータと記憶領域に保存されたカウンタ情報に基づきコピー動作を開始する（Ｓ５０８）。つまり、カウンタのカウント値に応じた枚数のコピーを行う。
【００２７】
次に、画像形成装置がＮＦＣ認証デバイスによって使用者の認証を行う手段を備える場合において、ＮＦＣ操作と認証のいずれを実行するのかをユーザに表示することについて説明する。
図１０は、この場合において、ＮＦＣ操作と認証のいずれを実行するのかをユーザに表示する操作部の一例を示す図である。
図１０に示すように、操作部６０６は、ホーム画面を表示するホームキー６００と、画像形成装置を消費電力の少ない省電力モード状態に遷移させる省エネキー６０１と、印刷中断を割り込んで処理する印刷中断キー６０２と、ＮＦＣデバイスを読み書きできるＮＦＣ  Ｒ／Ｗ６０３と、画像形成装置の処理を開始させるスタートキー６０４と、液晶ディスプレイＬＣＤ（Liquid Crystal Display）とタッチパネル６０５と認証と表示されたＬＥＤ６０７と設定と表示されたＬＥＤ６０８を備える。
【００２８】
ここで、省エネ状態において、動作が可能なものは、省電力モードへの移行または通常状態への復帰を行なう省エネキー６０１とＮＦＣ  Ｒ／Ｗ６０３とスタートキー６０４である。本実施形態では、認証と表示されたＬＥＤ６０７と設定と表示されたＬＥＤ６０８とのいずれか一方を排他的に点灯させる。これにより、認証機能を有する画像形成装置において、認証ＩＤを記憶させたＮＦＣ、又は操作設定を記憶させたＮＦＣのいずれを翳せばよいのかを、一目で分かるようにユーザに知らせることができる。
【００２９】
次に、省エネからの具体的な復帰要因を、ＯＮ又はＯＦＦ設定可能にして、ＮＦＣ操作を行うときは、他の復帰要因をＯＦＦするなどの設定を可能にすることについて説明する。
図１１は、省エネからの具体的な復帰要因の設定をＯＮ又はＯＦＦ可能にするための操作部における設定画面の一例を示す図である。
従来の画像形成装置では、ユーザの使い勝手を向上させるために、各種センサー等を設けて省エネ復帰を実現している。例えば、図１１に示したＡＤＦの開閉、原稿セット、ネットワークからの印刷要求などが画像形成装置に省エネ復帰要因として、その要因が発生したときは省エネ復帰を行っている。
【００３０】
しかし、ＮＦＣ操作によってＬＣＤをＯＦＦしたまま所望の動作を実現する画像形成装置においては、これらの省エネ復帰要因によって省エネ復帰するとＬＣＤが立ち上がってしまい、狙いの省電力を実現できないという問題が生じる。例えば、ユーザがＮＦＣ操作設定でコピーをしたいと望む場合において、先に原稿をセットしまうと、省エネに自動復帰してしまう。
そこで、この問題を解決するために、本実施形態では、省エネ復帰要因のＯＮ又はＯＦＦ設定を可能にして、図１のコントローラ１０の記憶領域である例えばＲＯＭ１３にその設定内容を記憶させることで、狙いの省電力を実現するようにしている。
【００３１】
本実施形態によれば、ＡＤＦの開閉、原稿セット、ネットワークからの印刷要求など省エネ復帰要因を全てＯＦＦにしておき、ＮＦＣ操作のみＯＮ設定することで、例えば、先に原稿をセットしとしても、それに基づく省エネ復帰要因の設定がＯＦＦであるため、省エネ復帰がなされるということはなくなる。
【００３２】
次に、トークンを翳してトークン内に保持されたデータが読み込まれたときに、そのことが報知されることについて説明する。
図１２は、画像形成装置において、翳されたデータを読み込んだことを検知したときに、そのことを報知するための制御手順を示すフロー図である。
図１２において、まず、コントローラ１０とＮＦＣ  Ｒ／Ｗ部７１のみが通電している省電力モードの状態において、コピー設定のＮＦＣトークンがＮＦＣ  Ｒ／Ｗ部７１で読み込まれたかを判断する（Ｓ６０１）。読み込まれている場合（Ｓ６０１、ＹＥＳ）、スリープ状態となっているコントローラ起動処理を開始する（Ｓ６０２）。コントローラ起動処理完了後、ＮＦＣを読込んだことを明確にユーザに通知するために、報知信号、ここではブザー音を出力し（Ｓ６０３）、トークン読み込み回数カウンタをＮ＝１とし記憶領域に記憶する（Ｓ６０４）。
【００３３】
また、画像処理・エンジン制御部２０と画像読取部３０とプロッタ４０の電源をＯＮする（Ｓ６０５）。次に、操作部のスタートキー６０４が押下されたかどうかを判断する（Ｓ６０６）。スタートキー６０４が押下されていない場合（Ｓ６０６、ＮＯ）、再度同じＮＦＣトークンが翳されたかを判断する（Ｓ６０７）。同じＮＦＣトークンが翳された場合は（Ｓ６０７、ＹＥＳ）、ＮＦＣを読込んだことを明確にユーザに通知するためにブザー音を出力し（Ｓ６０８）、コントローラ記憶領域に保存されているカウンタ情報（カウント値）を＋１して更新する（Ｓ６０９）。
【００３４】
ステップＳ６０６で、スタートキー６０４が押下されると（Ｓ６０６、ＹＥＳ）、ＮＦＣデータと記憶領域に保存されたカウンタ情報に基づき、コピー動作を開始して（Ｓ６１０）、カウント値分だけコピーを行い、この処理を終了する。
なお、本実施形態では、カウント値に応じて同数のコピーを行うものとして説明したが、トークン内に保持された操作設定情報と関連付けてカウント値をプリント、或いはその他の処理出力のための指示に用いてもよい。即ち、本実施形態の画像形成装置では、カウント手段のカウント値に基づいて操作設定に基づく特定の処理出力を行うことができる。
【００３５】
次に、トークンを翳すことにより読み込んだＮＦＣデバイスの設定で起動した機能を表示することについて説明する。
図１３は、読み込んだＮＦＣデバイスの設定によって起動した機能を表示する操作部構成の一例を示す図である。
この操作部８０６は、ホーム画面を表示するホームキー８００と、画像形成装置を消費電力の少ない省電力モード状態に遷移させる省エネキー８０１と、印刷中断を割り込んで処理する印刷中断キー８０２、ＮＦＣデバイスを読み書きできるＮＦＣ  Ｒ／Ｗ８０３と、画像形成装置の処理を開始させるスタートキー８０４と、液晶ディスプレイＬＣＤ（Liquid Crystal Display）とタッチパネル８０５と、コピー機能が立ち上がったことを知らせるＬＥＤ８０７と、スキャン機能が立ち上がったことを知らせるＬＥＤ８０８と、プリント機能が立ち上がったことを知らせるＬＥＤ８０９と、を備えている。
【００３６】
図１４は、読み込んだＮＦＣデバイスの設定によって起動した機能を表示するための処理手順を示すフロー図である。
図１におけるコントローラ１０とＮＦＣ  Ｒ／Ｗ部７１のみが通電している省電力モードの状態において、スキャナ設定のＮＦＣトークンがＮＦＣ  Ｒ／Ｗ部７１で読み込まれたかを判断する（Ｓ７０１）。ここで、読み込まれているときは（Ｓ７０１、ＹＥＳ）、スリープ状態となっているコントローラ起動処理を開始する（Ｓ７０２）。コントローラの起動処理完了後、画像処理・エンジン制御部２０と画像読取部３０の電源をＯＮする（Ｓ７０３）。画像形成装置がスキャナ機能を実現できる状態になったときは、ユーザに通知するために操作部上のスキャナと表示されたＬＥＤ８０８を点灯させる（Ｓ７０４）。
【００３７】
次に、処理開始のトリガとなるスタートキー８０４の押下を確認する（Ｓ７０５）。スタートキー８０４が押下されたときは（Ｓ７０５、ＹＥＳ）、ＮＦＣトークンから読込んだ設定に基づいて原稿を読み取る動作を開始する（Ｓ７０６）。
ステップＳ７０５において、スタートキー８０４の押下がなく（Ｓ７０５、ＮＯ）、例えば６０秒経過したときは（Ｓ７０７、ＹＥＳ）、再び省電力モードへ移行して（Ｓ７０８）処理を終了する。
【００３８】
本実施形態によれば、立ち上がった機能が、ＬＥＤ（８０７、８０８、８０９）によって点灯表示されるため、ユーザが読み込ませたＮＦＣが意図通りのものであるかどうか容易に判断することができる。つまり、ユーザが意図しないＮＦＣトークンを読み込ませた場合に、間違ったことが直ちに判明する。
【００３９】
以上、本実施形態によれば、ＮＦＣトークンに画像形成装置で実施を希望する操作の設定を記録しておき、それを画像形成装置（ＮＦＣ  Ｒ／Ｗ部）に読み込ませることで画像形成装置に設定可能である。また、操作部のＬＣＤタッチパネルで所望の操作を実現している画像形成装置においても、ＬＣＤタッチパネルの電源をＯＮすることなく操作情報設定等を実現することができるため、消費電力を削減することができる。
なお、以上の説明ではタッチパネルはＬＣ（液晶）によるものとしたが、これに限定されない。ＥＬ（Electro Luminescence）などの他の表示手段でもよい。
【符号の説明】
【００４０】
１・・・画像形成装置、１０・・・コントローラ、１１・・・ＣＰＵ、１２・・・ＲＡＭ、１３・・・ＲＯＭ、１４・・・外部接続機器用Ｉ／Ｆ、１５・・・操作部Ｉ／Ｆ、１６・・・ＮＦＣ  Ｉ／Ｆ、１７・・・ネットワークＩ／Ｆ、１８・・・バス、２０・・・画像処理・エンジン制御部、３０・・・画像読取部、４０・・・プロッタ部、５０・・・ＦＡＸ部、６０・・・ＨＤＤ、７０・・・操作部、７１・・・ＮＦＣ  Ｒ／Ｗ部、１０１、１０２、１０３、１０４・・・トークン。
【先行技術文献】
【特許文献】
【００４１】
【特許文献１】特開２０１０−２６３４８４号公報
【図１】
2014090397.tif 000003
【図２】
2014090397.tif 000004
【図３】
2014090397.tif 000005
【図４】
2014090397.tif 000006
【図５】
2014090397.tif 000007
【図６】
2014090397.tif 000008
【図７】
2014090397.tif 000009
【図８】
2014090397.tif 000010
【図９】
2014090397.tif 000011
【図１０】
2014090397.tif 000012
【図１１】
2014090397.tif 000013
【図１２】
2014090397.tif 000014
【図１３】
2014090397.tif 000015
【図１４】
2014090397.tif 000016